(57)【要約】【課題】プロジェクター１００が設置される環境に応じて、適切に待機状態を切り替えることができるようにする。【解決手段】光源部１９０を備えるプロジェクター１００であって、光源部１９０を制御する制御部１７０と、プロジェクター１００が設置された環境に対する検出を行うセンサー部１４１と、を備え、制御部１７０は、光源部１９０を発光させる点灯状態、光源部１９０の消費電力が点灯状態より小さい高速起動スタンバイ状態、及び、光源部１９０の消費電力が点灯状態及び高速起動スタンバイ状態より小さい通常スタンバイ状態を切り替えて実行可能であり、センサー部１４１の検出結果が所定の条件を満たすことを契機として、通常スタンバイ状態から高速起動スタンバイ状態に移行する。【選択図】図１
2019121942.tif 000002
【特許請求の範囲】
【請求項１】
光源部を備える表示装置であって、
前記光源部を制御する制御部と、
前記表示装置が設置された環境に対する検出を行う検出部と、を備え、
前記制御部は、
前記光源部を発光させる通常動作状態、前記光源部の消費電力が前記通常動作状態より小さい第１待機状態、及び、前記光源部の消費電力が前記通常動作状態及び前記第１待機状態より小さい第２待機状態を切り替えて実行可能であり、
前記検出部の検出結果が所定の条件を満たすことを契機として、前記第２待機状態から前記第１待機状態に移行する、
表示装置。
【請求項２】
前記第１待機状態は、前記第２待機状態よりも短時間で前記光源部を発光させることが可能な状態である、
請求項１に記載の表示装置。
【請求項３】
ユーザーの操作を受け付ける操作部を備え、
前記制御部は、前記操作部が受け付けた操作に基づいて前記通常動作状態に移行する、
請求項１または２に記載の表示装置。
【請求項４】
前記制御部は、
前記検出部の検出結果が所定の条件を満たすことを契機として、前記第１待機状態から前記第２待機状態に移行する、
請求項１から３のいずれか一項に記載の表示装置。
【請求項５】
前記検出部は、人感センサー、音センサー、温度センサー、及び、照度センサーの少なくともいずれかにより構成される、
請求項１から４のいずれか一項に記載の表示装置。
【請求項６】
前記検出部は、複数のセンサーにより構成され、
前記制御部は、複数のセンサーのいずれかの検出結果に基づいて、前記第２待機状態から前記第１待機状態に移行する、
請求項１から５のいずれか一項に記載の表示装置。
【請求項７】
光源部と、前記光源部を制御する制御部とを備える表示装置の制御方法であって、
前記制御部は、前記光源部を発光させる通常動作状態、前記光源部の消費電力が前記通常動作状態より小さい第１待機状態、及び、前記光源部の消費電力が前記通常動作状態及び前記第１待機状態より小さい第２待機状態を切り替えて実行可能であり、
前記表示装置が設置された環境に対する検出を行い、
検出結果が所定の条件を満たすことを契機として、前記第２待機状態から前記第１待機状態に移行する、
表示装置の制御方法。
【発明の詳細な説明】
【技術分野】
【０００１】
本発明は、表示装置、及び、表示装置の制御方法に関する。
【背景技術】
【０００２】
従来、消費電力が異なる複数の待機状態を切り替える技術が知られている（例えば、特許文献１参照）。特許文献１では、通信機能が制限されないノーマルスタンバイモードと、通信機能が制限される省電力スタンバイモードとを、ユーザーが外部接続機器により切り替える表示装置を開示する。
【先行技術文献】
【特許文献】
【０００３】
【特許文献１】特開２０１０−１７８２４９号公報
【発明の概要】
【発明が解決しようとする課題】
【０００４】
特許文献１に記載の表示装置は、待機状態を切り替える際にユーザーの操作が必要になるため、待機状態の切り替えがユーザーの操作に依存してしまい適切に行えない場合があった。
本発明は、上述した事情に鑑みてなされたものであり、表示装置が設置される環境に応じて、適切に待機状態を切り替えることができるようにすることを目的とする。
【課題を解決するための手段】
【０００５】
上記課題を解決するために、本発明は、光源部を備える表示装置であって、前記光源部を制御する制御部と、前記表示装置が設置された環境に対する検出を行う検出部と、を備え、前記制御部は、前記光源部を発光させる通常動作状態、前記光源部の消費電力が前記通常動作状態より小さい第１待機状態、及び、前記光源部の消費電力が前記通常動作状態及び前記第１待機状態より小さい第２待機状態を切り替えて実行可能であり、前記検出部の検出結果が所定の条件を満たすことを契機として、前記第２待機状態から前記第１待機状態に移行する。
本発明によれば、検出部の検出結果が所定の条件を満たすことを契機として、第２待機状態から第１待機状態に移行するため、表示装置が設置される環境に応じて適切に待機状態を切り替えることができる。
【０００６】
また、本発明は、前記第１待機状態は、前記第２待機状態よりも短時間で前記光源部を発光させることが可能な状態である。
本発明によれば、第１待機状態が第２待機状態よりも短時間で光源部を発光させることが可能な状態であるため、表示装置が設置される環境に応じて、表示装置の待機状態を速やかに光源部が発光可能な待機状態に切り替えることができる。
【０００７】
また、本発明は、ユーザーの操作を受け付ける操作部を備え、前記制御部は、前記操作部が受け付けた操作に基づいて前記通常動作状態に移行する。
本発明によれば、表示装置が設置される環境に応じて第１待機状態に移行できるため、ユーザーの操作を受け付けてから速やかに光源部を発光させることができる。
【０００８】
また、本発明は、前記制御部は、前記検出部の検出結果が所定の条件を満たすことを契機として、前記第１待機状態から前記第２待機状態に移行する。
本発明によれば、検出部の検出結果が所定の条件を満たすことを契機として、第１待機状態から第２待機状態に移行するため、表示装置が設置される環境に応じて消費電力を適切に抑制できる。
【０００９】
また、本発明は、前記検出部は、人感センサー、音センサー、温度センサー、及び、照度センサーの少なくともいずれかにより構成される。
本発明によれば、音、人の有無、温度、及び、照度の少なくともいずれかを検出することで、表示装置が設置される環境に応じて、適切に待機状態を切り替えることができる。
【００１０】
また、本発明は、前記検出部は、複数のセンサーにより構成され、前記制御部は、複数のセンサーのいずれかの検出結果に基づいて、前記第２待機状態から前記第１待機状態に移行する。
本発明によれば、複数のセンサーのいずれかの検出結果に基づいて第２待機状態から第１待機状態に移行するため、表示装置が設置される環境に応じて、より適切に待機状態を切り替えることができる。
【００１１】
また、上記課題を解決するために、本発明は、光源部と、前記光源部を制御する制御部とを備える表示装置の制御方法であって、前記制御部は、前記光源部を発光させる通常動作状態、前記光源部の消費電力が前記通常動作状態より小さい第１待機状態、及び、前記光源部の消費電力が前記通常動作状態及び前記第１待機状態より小さい第２待機状態を切り替えて実行可能であり、前記表示装置が設置された環境に対する検出を行い、検出結果が所定の条件を満たすことを契機として、前記第２待機状態から前記第１待機状態に移行する。
本発明によれば、検出部の検出結果が所定の条件を満たすことを契機として、第２待機状態から第１待機状態に移行するため、表示装置が設置される環境に応じて適切に待機状態を切り替えることができる。
【図面の簡単な説明】
【００１２】
【図１】プロジェクターの構成を示す図。
【図２】プロジェクターの動作状態の遷移を示す図。
【図３】プロジェクターの動作を示すフローチャート。
【図４】プロジェクターの動作状態の遷移を示す図。
【発明を実施するための形態】
【００１３】
図１は、プロジェクター１００（表示装置）の構成を示す図である。
【００１４】
プロジェクター１００は、投射対象に画像光を投射して、投射対象の面に画像データに基づく画像を形成する。プロジェクター１００が画像を投射する投射対象は、平面であっても曲面や凹凸面であってもよいが、本実施形態では、平面で構成されるスクリーンＳＣに投射する場合を例示する。スクリーンＳＣは、壁面等の固定された平面を利用してもよいし、吊り上げ式や立ち上げ式等の幕状のスクリーンであってもよい。プロジェクター１００は、画像光を投射する投射開口部（不図示）が設けられる。投射開口部は、プロジェクター１００に内蔵される投射光学系１１３が光を放射する開口部である。
【００１５】
プロジェクター１００は、画像入力Ｉ／Ｆ部１５１を備える。画像入力Ｉ／Ｆ部１５１は、ケーブルを接続するコネクター及びインターフェース回路（いずれも不図示）を備える。
画像入力Ｉ／Ｆ部１５１は、外部から送信される信号を受信する。画像入力Ｉ／Ｆ部１５１は、受信した信号に含まれる画像データや、同期信号（垂直同期信号及び水平同期信号）を取り出す。画像入力Ｉ／Ｆ部１５１は、取り出した画像データをフレームメモリー１５３に出力して、フレームメモリー１５３に記憶させ、また、同期信号を画像処理部１５５や、制御部１７０に出力する。画像処理部１５５は、同期信号に同期して画像データに対する処理を行う。また、制御部１７０は、同期信号に基づいて、プロジェクター１００を構成する各部の動作を制御する。
【００１６】
画像入力Ｉ／Ｆ部１５１のインターフェースには、例えば、以下のインターフェースを用いることができる。
インターフェースとして、ＨＤＭＩ｛登録商標（High-Definition Multimedia Interface）｝や、Ｄｉｓｐｌａｙｐｏｒｔ、ＭＨＬ（Mobile High-definition Link、登録商標）、ＨＤＢａｓｅＴ（登録商標）、Ｔｈｕｎｄｅｒｂｏｌｔ（登録商標）、ＵＳＢ Ｔｙｐｅ−Ｃ、３Ｇ−ＳＤＩ（Serial Digital Interface）等の映像信号及び音声信号をデジタルで伝送可能なインターフェースを用いることができる。また、インターフェースとして、イーサネット（登録商標）、ＩＥＥＥ１３９４、ＵＳＢ等のデータ通信用のインターフェースを用いることができる。また、外部とプロジェクター１００とにＲＣＡ端子や、ＶＧＡ端子、Ｓ端子、Ｄ端子等のアナログの映像端子を設けて、アナログの映像信号を送受信する構成であってもよい。
【００１７】
プロジェクター１００は、光源部１９０と、光学的な画像を形成してスクリーンＳＣに投射する投射部１１０と、投射部１１０を駆動する駆動部１２０とを備える。投射部１１０は、光源１１１、光変調装置１１２及び投射光学系１１３を備える。また、駆動部１２０は、光源駆動部１２１、光変調装置駆動部１２２及び投射光学系駆動部１２３を備える。
【００１８】
光源部１９０は、光源１１１と、光源駆動部１２１とを備える。
光源１１１は、例えばレーザー光源により構成される。光源１１１は、光源駆動部１２１から電力の供給を受けて光を発する。
光源駆動部１２１は、バス１８０に接続され、同じくバス１８０に接続された制御部１７０（後述）の制御に従って光源１１１に対する電力供給を制御して、光源１１１を点灯又は消灯させる。光源駆動部１２１は、電源部２００からの電力供給を受けて駆動する。
なお、光源部１９０は、光源１１１が発した光を光変調装置１１２に導くリフレクター及び補助リフレクターを備えていてもよい。さらに光源部１９０は、投射光の光学特性を高めるためのレンズ群、偏光板、又は光源１１１が発した光の光量を光変調装置１１２に至る経路上で低減させる調光素子等（いずれも不図示）を備えていてもよい。
【００１９】
光変調装置１１２は、例えばＲＧＢの三原色に対応した３枚の液晶パネルを備える。光源１１１が発した光は、ダイクロイックミラーや、反射ミラー、リレーレンズ等（いずれも不図示）によってＲＧＢの３色の色光に分離され、対応する色の液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３に射出される。
【００２０】
光変調装置１１２は、光変調装置駆動部１２２により駆動される。光変調装置駆動部１２２は、バス１８０に接続され、制御部１７０の制御に従って光変調装置１１２を駆動する。
光変調装置駆動部１２２は、画像処理部１５５から入力される画像データに基づいて、液晶パネルを駆動する駆動信号をＲ，Ｇ，Ｂの色ごとに生成する。光変調装置駆動部１２２は、生成したＲ，Ｇ，Ｂの駆動信号に基づいて対応する色の液晶パネルを駆動し、各液晶パネルに画像を描画する。
【００２１】
投射光学系１１３は、光変調装置１１２により変調された画像光をスクリーンＳＣ方向へ投射して、スクリーンＳＣ上に結像させるレンズ群を備える。また、投射光学系１１３は、スクリーンＳＣの投射画像の拡大・縮小及び焦点の調整を行うズーム機構、フォーカスの調整を行うフォーカス調整機構を備えていてもよい。
【００２２】
投射光学系１１３は、投射光学系駆動部１２３により駆動される。投射光学系駆動部１２３は、例えば、モーターを備え、制御部１７０の制御に従ってモーターを駆動して、ズームやフォーカスの調整を行う。
【００２３】
プロジェクター１００は、操作部を備える。操作部は、操作パネル１３１、リモコン受光部１３３及び入出力Ｉ／Ｆ部１３５を備える。
【００２４】
ユーザーインターフェースとして機能する操作パネル１３１には、各種の操作キーや、液晶パネルが設けられる。入出力Ｉ／Ｆ部１３５は、操作パネル１３１、リモコン受光部１３３及びバス１８０に接続される。入出力Ｉ／Ｆ部１３５は、操作キーが操作されると、操作された操作キーに対応した操作信号を制御部１７０に出力する。また、入出力Ｉ／Ｆ部１３５は、制御部１７０の制御に従って、液晶パネルに各種の操作画面を表示させる。操作画面には、プロジェクター１００を操作可能な各種ボタンが表示される。
【００２５】
赤外線信号を受光するリモコン受光部１３３は、ユーザーインターフェースとして機能するリモコン５から送信される赤外線信号を受光する。リモコン受光部１３３は、受光した赤外線信号をデコードして、リモコン５における操作内容を示す操作信号を生成し、制御部１７０に出力する。
【００２６】
プロジェクター１００は、撮像部１４０を備える。撮像部１４０は、撮像光学系と、ＣＣＤ（Charge Coupled Device）やＣＭＯＳ（Complementary MOS）等の撮像素子と、インターフェース回路とを備える。撮像素子は、ＸＹＺ三刺激値のうちのＹ（輝度）を測定可能な構成であってもよいし、一般的なＲＧＢの色ごとの色成分を測定可能なものであってもよい。撮像部１４０は、制御部１７０の制御に従って、投射光学系１１３の投射方向を撮像する。撮像部１４０の撮像範囲、すなわち画角は、スクリーンＳＣとその周辺部とを含む範囲である。撮像部１４０は、撮像した撮像画像データを制御部１７０に出力する。
【００２７】
プロジェクター１００は、センサー部１４１（検出部）を備える。本実施形態のセンサー部１４１は、人感センサー（センサー）により構成される。人感センサーは、例えば赤外線や超音波等により、プロジェクター１００の周囲におけるユーザーの有無を検出する。ここでいう周囲とは、人感センサーが検出可能な検出範囲である。本実施形態では、プロジェクター１００の周囲におけるユーザーの有無の検出が、プロジェクター１００が設置される環境に対する検出に相当する。センサー部１４１は、ユーザーの有無に応じて、例えば値の異なる検出結果を、バス１８０を介して制御部１７０に出力する。制御部１７０は、センサー部１４１から入力される検出結果に応じた処理を実行する。
【００２８】
プロジェクター１００は、通信Ｉ／Ｆ部１４５を備える。通信Ｉ／Ｆ部１４５は、制御部１７０の制御に従い、他のプロジェクターとの間で各種データを送受信する。通信Ｉ／Ｆ部１４５が送受信する各種データは、他のプロジェクターを制御する制御情報や、制御情報に対する他のプロジェクターの応答等が含まれる。
【００２９】
プロジェクター１００は、電源部２００を備える。電源部２００は、ケーブルを介して商用交流電源ＤＧに接続し、商用交流電源ＤＧから供給される電力に基づいてプロジェクター１００を駆動させる電力を生成する。また、電源部２００は、生成した電力を、電力供給部２０１を含むプロジェクター１００の各部に供給する。
電力供給部２０１は、バス１８０に接続され、同じくバス１８０に接続された制御部１７０の制御に従って、光源駆動部１２１に対する電源部２００からの電力供給を制御する。
【００３０】
プロジェクター１００は、画像処理系を備える。画像処理系は、プロジェクター１００の全体を統括的に制御する制御部１７０を中心に構成され、この他に、フレームメモリー１５３、画像処理部１５５及び記憶部１６０を備える。制御部１７０、画像処理部１５５及び記憶部１６０は、バス１８０を介して相互に通信可能に接続される。
【００３１】
フレームメモリー１５３は、複数のバンクを備える。各バンクは、画像データの１フレームを書き込み可能な記憶容量をする。フレームメモリー１５３は、例えば、ＳＤＲＡＭ（Synchronous Dynamic Random Access Memory）により構成される。ＳＤＲＡＭは、クロックに同期してデータの読み出し及び書き込みを行うＤＲＡＭである。
【００３２】
画像処理部１５５は、フレームメモリー１５３に展開された画像データに対して、例えば、解像度変換（スケーリング）処理又はリサイズ処理、歪曲収差の補正、形状補正処理、デジタルズーム処理、画像の色合いや輝度の調整等の処理を行う。画像処理部１５５は、制御部１７０により指定された処理を実行し、必要に応じて、制御部１７０から入力されるパラメーターを使用して処理を行う。また、画像処理部１５５は、上記のうち複数の処理を組み合わせて実行することも勿論可能である。
画像処理部１５５は、処理の終了した画像データをフレームメモリー１５３から読み出して光変調装置駆動部１２２に出力する。
【００３３】
記憶部１６０は、例えば、ハードディスク装置等の補助記憶装置である。記憶部１６０は、フラッシュメモリーやＥＥＰＲＯＭ（Electrically Erasable Programmable ROM）等の半導体メモリーや、ＣＤ（Compact Disc）、ＤＶＤ（Digital Versatile Disc）、ＢＤ（Blu-ray（登録商標） Disc）等の光ディスクにより代替可能である。記憶部１６０は、制御部１７０が実行する制御プログラムや、画像処理部１５５が実行する画像処理に使用するパラメーター等の各種データを記憶する。また、記憶部１６０は、画像データを記憶する。プロジェクター１００は、記憶部１６０から画像データを読み出して画像処理し、処理後の画像データを投射部１１０によりスクリーンＳＣに投射する。
【００３４】
制御部１７０は、ハードウェアとしてＣＰＵ、ＲＯＭ、ＲＡＭ及びその他の周辺回路（いずれも不図示）を備える。ＣＰＵは、演算処理を実行するプロセッサーであり、ＲＯＭや記憶部１６０が記憶する制御プログラムに従って演算処理を実行する。ＲＯＭは、不揮発性のメモリーであり、例えば、制御プログラムや演算データを記憶する。ＲＡＭは、プロセッサーが実行する制御プログラムや演算データを一時記憶するワークエリアとして使用される。
【００３５】
本実施形態は、制御部１７０が一つのプロセッサー（ＣＰＵ）を備え、このプロセッサーが制御プログラムに従った処理を実行することで制御部１７０の機能を実現するが、複数のプロセッサー又は半導体チップにより制御部１７０の機能を実現してもよい。例えば、制御部１７０が、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、制御部１７０は、ＣＰＵ及び副処理装置の双方を協働させるか、あるいは双方のうちの一方を選択的に用いて各種の制御を行ってもよい。
【００３６】
制御部１７０は、機能ブロックとして、投射制御部１７１、電力供給制御部１７２、条件成立判別部１７３、及び、状態遷移制御部１７４を備える。これらの機能ブロックは、ＣＰＵが制御プログラムに従って演算処理を実行することで実現される機能をブロックとして便宜的に示したものであり、特定のアプリケーションソフトウェアやハードウェアを示すものではない。
【００３７】
投射制御部１７１は、画像処理部１５５や駆動部１２０を制御して、スクリーンＳＣに画像を投射させる。具体的には、投射制御部１７１は、画像処理部１５５を制御して、フレームメモリー１５３に展開された画像データを画像処理部１５５に処理させる。この際、投射制御部１７１は、画像処理部１５５が処理に必要なパラメーターを記憶部１６０から読み出して画像処理部１５５に出力する。
【００３８】
また、投射制御部１７１は、光源駆動部１２１を制御して光源部１９０の光源１１１を点灯させ、また、点灯させた光源の輝度を調整させる。さらに、投射制御部１７１は、光変調装置駆動部１２２を制御して光変調装置１１２の液晶パネルに画像を描画させる。また、投射制御部１７１は、投射光学系駆動部１２３を制御してモーターを駆動させ、投射光学系１１３のズームやフォーカスを調整する。
【００３９】
電力供給制御部１７２は、状態遷移制御部１７４からの入力に基づいて電力供給部２０１を制御し、光源駆動部１２１に対する電力供給部２０１の電力供給状態を制御する。電力供給制御部１７２は、電力供給部２０１の電力供給状態を、供給状態、又は、停止状態のいずれかに切り替える。供給状態とは、電力供給部２０１が光源駆動部１２１に電力を供給している状態である。停止状態とは、電力供給部２０１が光源駆動部１２１に対する電力供給を停止している状態である。
【００４０】
条件成立判別部１７３は、センサー部１４１から入力される検出結果が、所定の条件を満たしたか否かを判別する。本実施形態において条件成立判別部１７３は、プロジェクター１００の動作状態が高速起動スタンバイ状態１００Ｂである場合、センサー部１４１から入力される検出結果が、プロジェクター１００の周囲にユーザーが居ないことを示す検出結果（以下、「ユーザー無検出結果」と表現する）であるかを判別する。この判別において、検出結果が所定の条件を満たすとは、検出結果がユーザー無検出結果であることを示す。また、条件成立判別部１７３は、プロジェクター１００の動作状態が通常スタンバイ状態１００Ｃである場合、センサー部１４１から入力される検出結果が、プロジェクター１００の周囲にユーザーが居ることを示す検出結果（以下、「ユーザー有検出結果」と表現する）であるかを判別する。この判別において、検出結果が所定の条件を満たすとは、検出結果がユーザー有検出結果であることを示す。
条件成立判別部１７３は、判別結果を状態遷移制御部１７４に出力する。
【００４１】
状態遷移制御部１７４は、プロジェクター１００の動作状態の切り替えを制御する。
本実施形態において、プロジェクター１００の動作状態は、点灯状態１００Ａ（通常動作状態）（図２参照）、高速起動スタンバイ状態１００Ｂ（第１待機状態）（図２参照）、及び、通常スタンバイ状態１００Ｃ（第２待機状態）（図２参照）の３つの状態がある。
【００４２】
点灯状態１００Ａとは、光源１１１が発光しており、スクリーンＳＣ等の投射対象に画像を投射させることが可能な動作状態である。
高速起動スタンバイ状態１００Ｂとは、光源１１１の発光を待機している待機状態である。また、高速起動スタンバイ状態１００Ｂは、光源１１１に電力が供給されず光源１１１が消灯しており、点灯状態１００Ａより光源部１９０の消費電力が小さい動作状態である。高速起動スタンバイ状態１００Ｂでは、光源駆動部１２１に電力が供給されており光源駆動部１２１が駆動可能な動作状態である。そのため、高速起動スタンバイ状態１００Ｂは、光源駆動部１２１の起動時間分、通常スタンバイ状態１００Ｃより短時間で光源１１１を発光させることができる動作状態である。
通常スタンバイ状態１００Ｃとは、光源１１１の発光を待機している待機状態であり、光源１１１、及び、光源駆動部１２１のいずれにも電力が供給されない動作状態である。そのため、通常スタンバイ状態１００Ｃは、高速起動スタンバイ状態１００Ｂより光源部１９０の消費電力が小さい動作状態である。
【００４３】
状態遷移制御部１７４は、点灯状態１００Ａ、高速起動スタンバイ状態１００Ｂ、及び、通常スタンバイ状態１００Ｃを図２に示すように切り替え、プロジェクター１００の動作状態を遷移させる。
【００４４】
図２は、プロジェクター１００の動作状態の遷移を示す図である。
【００４５】
図２に示すように、状態遷移制御部１７４は、プロジェクター１００の動作状態が高速起動スタンバイ状態１００Ｂである場合に、点灯状態１００Ａへの移行を指示する第１移行トリガーが発生すると、高速起動スタンバイ状態１００Ｂから点灯状態１００Ａに移行させる（ステップＳＴ１）。ステップＳＴ１における状態遷移制御部１７４の動作については、後述する。第１移行トリガーとしては、リモコン５、又は、操作パネル１３１に対するユーザーの操作により、光源１１１の点灯を指示する操作を操作部が受け付けたことや、画像入力Ｉ／Ｆ部１５１が外部から画像データが入力されたこと等が挙げられる。
【００４６】
状態遷移制御部１７４は、プロジェクター１００の動作状態が点灯状態１００Ａである場合において、高速起動スタンバイ状態１００Ｂへの移行を指示する第２移行トリガーが発生すると、点灯状態１００Ａから高速起動スタンバイ状態１００Ｂに移行させる（ステップＳＴ２）。ステップＳＴ２における状態遷移制御部１７４の動作については、後述する。第２移行トリガーとしては、リモコン５、又は、操作パネル１３１に対するユーザーの操作により、光源１１１の消灯を指示する操作を操作部が受け付けたことや、所定期間、画像処理部１５５から画像データの出力が無いこと等が挙げられる。
【００４７】
状態遷移制御部１７４は、プロジェクター１００の動作状態が高速起動スタンバイ状態１００Ｂである場合において、通常スタンバイ状態１００Ｃへの移行を指示する第３移行トリガーが発生すると、高速起動スタンバイ状態１００Ｂから通常スタンバイ状態１００Ｃに移行させる（ステップＳＴ３）。第３移行トリガー、ステップＳＴ３における状態遷移制御部１７４の動作については、後述する。
【００４８】
状態遷移制御部１７４は、プロジェクター１００の動作状態が通常スタンバイ状態１００Ｃである場合において、高速起動スタンバイ状態１００Ｂへの移行を指示する第４移行トリガーが発生すると、通常スタンバイ状態１００Ｃから高速起動スタンバイ状態１００Ｂに移行させる（ステップＳＴ４）。第４移行トリガー、ステップＳＴ４における状態遷移制御部１７４の動作については、後述する。
【００４９】
このように、状態遷移制御部１７４は、トリガーの発生に基づいて、プロジェクター１００の動作状態を、点灯状態１００Ａ、高速起動スタンバイ状態１００Ｂ、及び、通常スタンバイ状態１００Ｃのいずれかに切り替える。
特に、状態遷移制御部１７４は、高速起動スタンバイ状態１００Ｂと通常スタンバイ状態１００Ｃとの切り替えを以下のように実行することで、プロジェクター１００が設置された環境に応じた適切な待機状態の切り替えを可能にする。
【００５０】
図３は、プロジェクター１００の動作を示すフローチャートである。
【００５１】
図３に示すフローチャートの開始時点では、プロジェクター１００の動作状態が点灯状態１００Ａであるとする。
【００５２】
図３に示すように、プロジェクター１００の制御部１７０の状態遷移制御部１７４は、第２移行トリガーが発生したか否かを判別する（ステップＳＡ１）。状態遷移制御部１７４は、第２移行トリガーが発生していないと判別した場合（ステップＳＡ１：ＮＯ）、プロジェクター１００の動作状態を点灯状態１００Ａから他の動作状態に移行させることなく、再度ステップＳＡ１の処理を実行する。
【００５３】
一方で、状態遷移制御部１７４は、第２移行トリガーが発生したと判別した場合（ステップＳＡ１：ＹＥＳ）、プロジェクター１００の動作状態を点灯状態１００Ａから高速起動スタンバイ状態１００Ｂに移行させる（ステップＳＡ２）。ステップＳＡ２において、状態遷移制御部１７４は、光源駆動部１２１を制御して、光源駆動部１２１から光源１１１への電力供給を停止して光源１１１を消灯させる。
【００５４】
状態遷移制御部１７４がプロジェクター１００の動作状態を高速起動スタンバイ状態１００Ｂに移行させると、条件成立判別部１７３は、センサー部１４１から入力された検出結果が、ユーザー無検出結果であるか否かを判別する（ステップＳＡ３）。
【００５５】
条件成立判別部１７３がセンサー部１４１から入力された検出結果がユーザー無検出結果でないと判別した場合（ステップＳＡ３：ＮＯ）、換言すると、センサー部１４１から入力された検出結果がユーザー有検出結果であると判別した場合、状態遷移制御部１７４は、第１移行トリガーが発生したか否かを判別する（ステップＳＡ４）。状態遷移制御部１７４は、第１移行トリガーが発生していないと判別した場合（ステップＳＡ４：ＮＯ）、プロジェクター１００の動作状態を高速起動スタンバイ状態１００Ｂから他の動作状態に移行させることなく、処理をステップＳＡ３に戻す。一方で、状態遷移制御部１７４は、第１移行トリガーが発生した判別した場合（ステップＳＡ４：ＹＥＳ）、プロジェクター１００の動作状態を高速起動スタンバイ状態１００Ｂから点灯状態１００Ａに移行させる（ステップＳＡ５）。ステップＳＡ５において、状態遷移制御部１７４は、光源駆動部１２１を制御して、光源駆動部１２１から光源１１１へ電力を供給して光源１１１を点灯させる。
【００５６】
ステップＳＡ３の説明に戻り、条件成立判別部１７３がセンサー部１４１から入力された検出結果がユーザー無検出結果であると判別した場合（ステップＳＡ３：ＹＥＳ）、状態遷移制御部１７４は、プロジェクター１００の動作状態を高速起動スタンバイ状態１００Ｂから通常スタンバイ状態１００Ｃに移行させる（ステップＳＡ６）。つまり、状態遷移制御部１７４は、センサー部１４１がプロジェクター１００の周囲にユーザーが居ないこと検出したことを第３移行トリガーとし、高速起動スタンバイ状態１００Ｂから通常スタンバイ状態１００Ｃに移行させる。ステップＳＡ７において電力供給制御部１７２は、電力供給部２０１を制御して、光源駆動部１２１への電力供給を停止する。
【００５７】
プロジェクター１００の周囲にユーザーが居ない状況は、プロジェクター１００が使用（投射を含む）される蓋然性が低い状況である。そこで、制御部１７０は、上記第３トリガーが発生したことを契機として高速起動スタンバイ状態１００Ｂから通常スタンバイ状態１００Ｃの動作状態を移行させる。これにより、制御部１７０は、プロジェクター１００の周囲にユーザーが居ない場合に消費電力が小さい待機状態に切り替えることができ、不必要な電力の消費を抑制できる。
【００５８】
状態遷移制御部１７４がプロジェクター１００の動作状態を通常スタンバイ状態１００Ｃに移行させると、条件成立判別部１７３は、センサー部１４１から入力された検出結果がユーザー有検出結果であるか否か判別する（ステップＳＡ７）。
【００５９】
条件成立判別部１７３がセンサー部１４１から入力された検出結果がユーザー有検出結果でないと判別した場合（ステップＳＡ７：ＮＯ）、換言すると、センサー部１４１から入力された検出結果がユーザー無検出結果であると判別した場合、状態遷移制御部１７４は、プロジェクター１００の動作状態を通常スタンバイ状態から他の動作状態に移行させることなく、ステップＳＡ７の処理を継続する。これにより、制御部１７０は、プロジェクター１００の周囲にユーザーが居ない場合、プロジェクター１００の消費電力を抑制できる。つまり、制御部１７０は、プロジェクター１００が設置された環境に応じて適切な待機状態に切り替えることができる。
【００６０】
一方で、条件成立判別部１７３がセンサー部１４１から入力された検出結果がユーザー有検出結果であると判別した場合（ステップＳＡ７：ＹＥＳ）、状態遷移制御部１７４は、プロジェクター１００の動作状態を通常スタンバイ状態１００Ｃから高速起動スタンバイ状態１００Ｂに移行させる（ステップＳＡ８）。つまり、状態遷移制御部１７４は、センサー部１４１がプロジェクター１００の周囲にユーザーが居ることを第４移行トリガーとし、通常スタンバイ状態１００Ｃから高速起動スタンバイ状態１００Ｂに移行させる。ステップＳＡ９において、電力供給制御部１７２は、電力供給部２０１を制御して、光源駆動部１２１に電力を供給する。
【００６１】
プロジェクター１００の周囲にユーザーが居る状況は、プロジェクター１００がユーザーにより使用（投射を含む）される蓋然性が高い状況である。そのため、このような状況では、通常スタンバイ状態１００Ｃより消費電力が高くなるが、速やかな光源１１１の発光が可能としたほうがユーザーの利便性が高いものと想定される。そこで、制御部１７０は、プロジェクター１００の動作状態が通常スタンバイ状態１００Ｃである際、上記第４トリガーが発生したことを契機として通常スタンバイ状態１００Ｃから高速起動スタンバイ状態１００Ｂに移行させる。これにより、制御部１７０は、プロジェクター１００の周囲にユーザーが居る場合、プロジェクター１００の動作状態を、速やかに光源１１１が発光可能な状態にすることができる。つまり、制御部１７０は、プロジェクター１００が設置された環境に応じて適切な待機状態に切り替えることができる。
【００６２】
前述した通り、制御部１７０は、第１移行トリガーが発生した判別した場合、プロジェクター１００の動作状態を高速起動スタンバイ状態１００Ｂから点灯状態１００Ａに移行させる。したがって、制御部１７０は、プロジェクター１００の周囲にユーザーが居る場合、プロジェクター１００の動作状態を高速起動スタンバイ状態１００Ｂにすることで、ユーザーの操作を受け付けてから速やかに光源１１１を発光させることができる。
【００６３】
以上では、センサー部１４１が人感センサーにより構成される場合を例示した。しかしながら、センサー部１４１の構成は、人感センサーに限定されない。例えば、以下のセンサーにより構成されてもよい。
【００６４】
例えば、センサー部１４１は、音センサー（センサー）により構成されてもよい。音センサーは、例えばマイク等の収音装置であり、プロジェクター１００の周囲の音声を収音する。ここで周囲とは、音センサーが収音可能な範囲である。音センサーは、プロジェクター１００が設置された環境に対する検出としてプロジェクター１００の周囲の音声を収音し、検出結果として収音した音声を示す音声データを制御部１７０に出力する。
【００６５】
センサー部４が音センサーで構成される場合、条件成立判別部１７３は、プロジェクター１００の動作状態が高速起動スタンバイ状態１００Ｂである場合、音センサーから入力された音声データが、所定の音量を下回る音声を示す音声データ（ユーザー無検出結果に相当）であるか否かを判別する。この判別において、検出結果が所定の条件を満たすとは、検出結果である音センサーから入力された音声データが、所定の音量を下回る音声を示す音声データであることを示す。状態遷移制御部１７４は、音センサーから入力された音声データが、所定の音量を下回る音声を示す音声データであると判別した場合、プロジェクター１００の動作状態を通常スタンバイ状態１００Ｃに切り替える。
また、センサー部４が音センサーで構成される場合、条件成立判別部１７３は、プロジェクター１００の動作状態が通常スタンバイ状態１００Ｃである場合、音センサーから入力された音声データが、所定の音量以上の音声を示す音声データ（ユーザー有検出結果に相当）であるか否かを判別する。この判別において、検出結果が所定の条件を満たすとは、検出結果である音センサーから入力された音声データが、所定の音量以上の音声を示す音声データであることを示す。状態遷移制御部１７４は、音センサーから入力された音声データが、所定の音量以上の音声を示す音声データであると判別した場合、プロジェクター１００の動作状態を高速起動スタンバイ状態１００Ｂに切り替える。
【００６６】
プロジェクター１００の周囲にユーザーが居ない状況では、ユーザーが居る場合と比較してプロジェクター１００の周囲の音声が低いものと想定される。プロジェクター１００の周囲にユーザーが居ない状況では、逆である。そこで、制御部１７０は、上述したように、高速起動スタンバイ状態１００Ｂと通常スタンバイ状態１００Ｃとを切り替えることにより、センサー部１４１が人感センサーで構成される場合と同様の効果を奏する。
【００６７】
また、例えば、センサー部１４１は、照度センサー（センサー）により構成されてもよい。照度センサーは、プロジェクター１００の筐体の表面に露出する位置に配置され、プロジェクター１００に対する光の照度を検出する。照度センサーは、プロジェクター１００が設置された環境対する検出としてプロジェクター１００に対する光の照度を検出し、検出結果を制御部１７０に出力する。
【００６８】
センサー部１４１が照度センサーで構成される場合、条件成立判別部１７３は、プロジェクター１００の動作状態が高速起動スタンバイ状態１００Ｂである場合、照度センサーから入力された検出結果が、所定の照度を下回る照度を示す検出結果（ユーザー無検出結果に相当）であるか否かを判別する。この判別において、検出結果が所定の条件を満たすとは、検出結果が示す照度が、所定の照度を下回る検出結果であることを示す。状態遷移制御部１７４は、照度センサーから入力された検出結果が、所定の照度を下回る検出結果であると判別した場合、プロジェクター１００の動作状態を通常スタンバイ状態１００Ｃに切り替える。
また、センサー部４が照度センサーで構成される場合、条件成立判別部１７３は、プロジェクター１００の動作状態が通常スタンバイ状態１００Ｃである場合、照度センサーから入力された検出結果が、所定の照度以上の照度を示す検出結果（ユーザー有検出結果に相当）であるか否かを判別する。この判別において、検出結果が所定の条件を満たすとは、検出結果が示す照度センサーが、所定の照度以上を示す検出結果であることを示す。状態遷移制御部１７４は、照度センサーから入力された検出結果が、所定の照度以上の照度を示す検出結果であると判別した場合、プロジェクター１００の動作状態を高速起動スタンバイ状態１００Ｂに切り替える。
【００６９】
プロジェクター１００の使用態様にもよるが、プロジェクター１００の周囲にユーザーが居ない状況では、ユーザーが居る場合と比較してプロジェクター１００に対する光の照度が低いものと想定される。一方で、プロジェクター１００の周囲にユーザーが居る状況では、少なくともプロジェクター１００の使用前において、ユーザーが居ない場合と比較してプロジェクター１００に対する光の照度が高いものと想定される。そこで、制御部１７０は、上述したように、高速起動スタンバイ状態１００Ｂと通常スタンバイ状態１００Ｃとを切り替えることにより、センサー部１４１が人感センサーで構成される場合と同様の効果を奏する。
【００７０】
また、例えば、センサー部１４１は、温度センサー（センサー）により構成されてもよい。温度センサーは、プロジェクター１００の筐体の表面に露出する位置に配置され、プロジェクター１００が設置される環境の温度を検出する。温度センサーは、プロジェクター１００が設置された環境対する検出としてプロジェクター１００が設置される環境温度を検出し、検出結果を制御部１７０に出力する。
【００７１】
センサー部１４１が温度センサーで構成される場合、条件成立判別部１７３は、センサー部が照度センサーで構成される場合と同様に判別する。また、状態遷移制御部１７４は、センサー部が照度センサーで構成される場合と同様に、高速起動スタンバイ状態１００Ｂと通常スタンバイ状態１００Ｃとを切り替える。
【００７２】
プロジェクター１００の使用態様にもよるが、プロジェクター１００の周囲にユーザーが居ない状況では、ユーザーが居る場合と比較してプロジェクター１００が設置される環境温度が低い可能性がある。一方で、プロジェクター１００の周囲にユーザーが居る状況では、ユーザーの体温や室温等に起因して、ユーザーが居ない場合と比較してプロジェクター１００が設置される環境温度が高い可能性がある。そこで、制御部１７０は、上述したように、高速起動スタンバイ状態１００Ｂと通常スタンバイ状態１００Ｃとを切り替えることにより、センサー部１４１が人感センサーで構成される場合と同様の効果を奏する。
【００７３】
以上では、センサー部１４１が、人感センサー、音センサー、照度センサー、及び、温度センサーのいずれかにより構成される場合を例示した。しかしながら、センサー部１４１は、複数のセンサーにより構成されてもよい。例えば、センサー部１４１は、人感センサー、音センサー、照度センサー、及び、温度センサーにより構成されてもよい。
【００７４】
この構成である場合、条件成立判別部１７３は、ステップＳＡ３、及び、ステップＳＡ７においてセンサーごとに独立して、検出結果が所定の条件を満たしたか否かを判別する。そして、条件成立判別部１７３は、複数のセンサーのいずれかの検出結果が所定の条件を満たした場合、プロジェクター１００の動作状態を切り替える。これにより、制御部１７０は、プロジェクター１００が設置される環境の変化に応じて、より適切に待機状態を切り替えることができる。
【００７５】
＜変形例＞
次に変形例について説明する。
図４は、変形例におけるプロジェクター１００の動作状態の遷移を示す図である。
【００７６】
図４と図２とを比較して明らかな通り、変形例では、通常スタンバイ状態１００Ｃから点灯状態１００Ａに移行可能である。
【００７７】
図３に示すように、制御部１７０は、プロジェクター１００の動作状態が通常スタンバイ状態１００Ｃである場合に、点灯状態１００Ａへの移行を指示する第５移行トリガーが発生すると、通常スタンバイ状態１００Ｃから点灯状態１００Ａに移行させる（ステップＳＴ５）。通常スタンバイ状態１００Ｃから点灯状態１００Ａに移行させる際、電力供給制御部１７２は、電力供給部２０１を制御して光源駆動部１２１に電力を供給し、状態遷移制御部１７４は、光源駆動部１２１を制御して、光源駆動部１２１から光源１１１に電力を供給して光源１１１を点灯させる。第５移行トリガーとしては、リモコン５、又は、操作パネル１３１に対するユーザーの操作により、光源１１１の点灯を指示する操作を操作部が受け付けたことや、画像入力Ｉ／Ｆ部１５１が外部から画像データが入力されたこと等が挙げられる。
【００７８】
図４に示すように、通常スタンバイ状態１００Ｃから点灯状態１００Ａへの移行を可能とすることで以下に示す効果を奏する。図２では、通常スタンバイ状態１００Ｃから点灯状態１００Ａに移行する際、プロジェクター１００の動作状態は、高速起動スタンバイ状態１００Ｂを介する必要がある。上述したように、通常スタンバイ状態１００Ｃから高速起動スタンバイ状態１００Ｂへの移行は、センサー部１４１の検出結果が所定の条件を満たすことをトリガーとしている。そのため、何かしらの要因でセンサー部１４１が検出できない場合、プロジェクター１００は、動作状態を通常スタンバイ状態１００Ｃから点灯状態１００Ａに移行できなくなり、光源１１１が点灯できなくなる。そこで、図４に示すように通常スタンバイ状態１００Ｃから点灯状態１００Ａへの移行を可能とすることで、制御部１７０は、何かしらの要因でセンサー部１４１が検出できない場合でも、プロジェクター１００の動作状態を通常スタンバイ状態１００Ｃから点灯状態１００Ａに移行でき、光源１１１が点灯できる。
【００７９】
以上、説明したように、プロジェクター１００（表示装置）は、光源部１９０を備える。また、プロジェクター１００は、光源部１９０を制御する制御部１７０と、プロジェクター１００が設置された環境に対する検出を行うセンサー部１４１（検出部）と、を備える。制御部１７０は、光源部１９０を発光させる点灯状態１００Ａ（通常動作状態）、光源部１９０の消費電力が点灯状態１００Ａより小さい高速起動スタンバイ状態１００Ｂ（第１待機状態）、及び、光源部１９０の消費電力が点灯状態１００Ａ及び高速起動スタンバイ状態１００Ｂより小さい通常スタンバイ状態１００Ｃ（第２待機状態）を切り替えて実行可能である。制御部１７０は、センサー部１４１の検出結果が所定の条件を満たすことを契機として、通常スタンバイ状態１００Ｃから高速起動スタンバイ状態１００Ｂに移行する。
【００８０】
この構成によれば、制御部１７０は、センサー部１４１の検出結果が所定の条件を満たすことを契機として、通常スタンバイ状態１００Ｃから高速起動スタンバイ状態１００Ｂに移行するため、プロジェクター１００が設置される環境に応じて適切に待機状態を切り替えることができる。より詳細には、制御部１７０は、プロジェクター１００の周囲におけるユーザーの有無に応じて適切に待機状態を切り替えることができる。
【００８１】
また、高速起動スタンバイ状態１００Ｂは、通常スタンバイ状態１００Ｃよりも短時間で光源部１９０を発光させることが可能な状態である。
【００８２】
この構成によれば、高速起動スタンバイ状態１００Ｂが通常スタンバイ状態１００Ｃよりも短時間で光源部１９０を発光させることが可能な状態であるため、プロジェクター１００が設置される環境に応じて、プロジェクター１００の動作状態を速やかに光源部１９０が発光可能な待機状態に切り替えることができる。より詳細には、制御部１７０は、プロジェクター１００の周囲におけるユーザーの有無に応じて、プロジェクター１００の動作状態を速やかに光源部１９０が発光可能な待機状態に切り替えることができる。
【００８３】
また、プロジェクター１００は、ユーザーの操作を受け付ける操作部（操作パネル１３１、リモコン受光部１３３、及び、入出力Ｉ／Ｆ部１３５を含む）を備える。制御部１７０は、操作部が受け付けた操作に基づいて点灯状態１００Ａに移行する。
【００８４】
この構成によれば、制御部１７０は、プロジェクター１００が設置される環境に応じて高速起動スタンバイ状態１００Ｂに移行可能であるため、ユーザーの操作を受け付けてから速やかに光源部１９０を発光させることができる。
【００８５】
また、制御部１７０は、センサー部１４１の検出結果が所定の条件を満たすことを契機として、高速起動スタンバイ状態１００Ｂから通常スタンバイ状態１００Ｃに移行する。
【００８６】
この構成によれば、制御部１７０は、センサー部１４１の検出結果が所定の条件を満たすことを契機として、高速起動スタンバイ状態１００Ｂから通常スタンバイ状態１００Ｃに移行するため、プロジェクター１００が設置される環境に応じて消費電力を適切に抑制できる。より詳細には、制御部１７０は、プロジェクター１００の周囲におけるユーザーが居ない場合、不必要に電力が消費されることを抑制できる。
【００８７】
また、センサー部１４１は、人感センサー（センサー）、音センサー（センサー）、温度センサー（センサー）、及び、照度センサー（センサー）の少なくともいずれかにより構成される。
【００８８】
この構成によれば、制御部１７０は、音、人の有無、温度、及び、照度の少なくともいずれかを検出することで、プロジェクター１００が設置される環境に応じて、適切に待機状態を切り替えることができる。
【００８９】
また、センサー部１４１は、複数のセンサーにより構成される。制御部１７０は、複数のセンサーのいずれかの検出結果に基づいて、通常スタンバイ状態１００Ｃから高速起動スタンバイ状態１００Ｂに移行する。
【００９０】
この構成によれば、制御部１７０は、複数のセンサーのいずれかの検出結果に基づいて通常スタンバイ状態１００Ｃから高速起動スタンバイ状態１００Ｂに移行するため、プロジェクター１００が設置される環境に応じて、より適切に待機状態を切り替えることができる。
【００９１】
上述した実施形態及び変形例は、本発明の好適な実施の形態である。ただし、これに限定されるものではなく、本発明の要旨を逸脱しない範囲内において種々の変形実施が可能である。
【００９２】
例えば、上述した実施形態では、光源１１１としてレーザー光源を例示したが、光源１１１は、レーザー光源に限定されず、キセノンランプ、超高圧水銀ランプ、又は、ＬＥＤ（Light Emitting Diode）でもよい。
【００９３】
また、例えば、上述した実施形態では、プロジェクター１００が、透過型の液晶パネルを用いた液晶プロジェクターである場合について説明したが、反射型の液晶パネルやデジタルミラーデバイスを用いたプロジェクターであってもよい。
【００９４】
また、例えば、上述したプロジェクター１００の制御方法（表示装置の制御方法）が、プロジェクター１００が備えるコンピューター、又は、プロジェクター１００に接続される外部装置を用いて実現される場合、本発明を、当該方法を実現するためにコンピューターが実行するプログラム、このプログラムをコンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）Ｄｉｓｃ、光磁気ディスク、フラッシュメモリー、カード型記録媒体等の可搬型の、或いは固定式の記録媒体が挙げられる。また、上記記録媒体は、プロジェクター１００や、プロジェクター１００に接続された外部装置が備える内部記憶装置であるＲＡＭ（Random Access Memory）、ＲＯＭ（Read Only Memory）、ＨＤＤ等の不揮発性記憶装置でもよい。
【００９５】
また、図３に示すフローチャートの処理単位は、プロジェクター１００の制御部１７０の処理を理解容易にするために、主な処理内容に応じて分割したものである。図３のフローチャートに示す処理単位の分割の仕方や名称によって本発明が制限されることはない。また、制御部１７０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【００９６】
また、図１に示すプロジェクター１００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【００９７】
また、本発明の表示装置は、スクリーンＳＣに画像を投射するプロジェクターに限定されない。例えば、表示装置は、液晶表示パネルに画像を表示する液晶モニター若しくは液晶テレビ、又はＰＤＰ（プラズマディスプレイパネル）に画像を表示するモニター装置若しくはテレビ受像機、又はＯＬＥＤ（Organic light-emitting diode）やＯＥＬ（Organic Electro-Luminescence）等と呼ばれる有機ＥＬ表示パネルに画像を表示するモニター装置若しくはテレビ受像機等の自発光型の表示装置など、各種の表示装置も本発明の表示装置に含まれる。
【符号の説明】
【００９８】
１００…プロジェクター（表示装置）、１００Ａ…点灯状態（通常動作状態）、１００Ｂ…高速起動スタンバイ状態（第１待機状態）、１００Ｃ…通常スタンバイ状態（第２待機状態）、１１０…投射部、１１１…光源、１１２…光変調装置、１１３…投射光学系、１２０…駆動部、１２１…光源駆動部、１２２…光変調装置駆動部、１２３…投射光学系駆動部、１３１…操作パネル（操作部）、１３３…リモコン受光部（操作部）、１３５…入出力Ｉ／Ｆ部（操作部）、１４０…撮像部、１４１…センサー部（検出部）、１４５…通信Ｉ／Ｆ部、１５１…画像入力Ｉ／Ｆ部、１５３…フレームメモリー、１５５…画像処理部、１６０…記憶部、１７０…制御部、１７１…投射制御部、１７２…電力供給制御部、１７３…条件成立判別部、１７４…状態遷移制御部、１８０…バス、１９０…光源部、２００…電源部、２０１…電力供給部、ＤＧ…商用交流電源、ＳＣ…スクリーン。
【図１】
2019121942.tif 000003
【図２】
2019121942.tif 000004
【図３】
2019121942.tif 000005
【図４】
2019121942.tif 000006